(57)【要約】      （修正有）【課題】シャーシの両面に電子部品が実装される場合に、放熱シートの幅（断面積）を確保して、放熱性を向上できる携帯端末を提供する。【解決手段】筐体に収容される回路基板と筐体の外側に露呈する表示装置との間に、シャーシ２４が配置される。シャーシ２４には、連通孔２４１が設けられており、回路基板と表示装置を接続するフレキシブル回路基板２７が、シャーシ２４の一端側から連通孔２４１に挿通されてシャーシ２４の他端側まで配設される。放熱シート２６は、シャーシ２４における回路基板側の回路基板側配設面に沿う第１放熱部２６２と、表示装置側の表示面側配設面２４５に沿う第２放熱部２６３とを有する。放熱シート２６の幅寸法を、連通孔２４１の幅寸法よりも小さいが略同等とした。【選択図】図３
2015015545.tif 000002
【特許請求の範囲】
【請求項１】
筐体と、
前記筐体に収容される回路基板と、
前記筐体の内部において前記回路基板に対して平行に配置され、前記筐体の外側に露呈する表示装置と、
前記回路基板と、前記表示装置との間に配置される板状のシャーシと、
前記シャーシに設けられた連通孔と、
前記シャーシの一端側から前記連通孔に挿通されて前記シャーシの他端側まで配設され、前記回路基板および前記表示装置を接続するフレキシブル回路基板と、
前記連通孔に挿通される挿通部と、前記連通孔に対して前記一端側に隣り合うとともに前記シャーシにおける前記回路基板側の回路基板側配設面に沿う第１放熱部と、前記連通孔に対して前記他端側に隣り合うとともに前記シャーシにおける前記表示装置側の表示面側配設面に沿う第２放熱部とを有する放熱シートと、を備え、
前記放熱シートにおける前記挿通部、前記第１放熱部および前記第２放熱部の配列方向に対して直交する幅寸法は、前記連通孔における前記挿通部の挿通方向に対して直交し、かつ、前記シャーシの厚み方向に対して直交する幅寸法よりも小さく、かつ、同等な部分を有する携帯端末。
【請求項２】
請求項１に記載の携帯端末において、
前記第１放熱部は、前記回路基板側配設面に接着され、その幅寸法が前記連通孔の幅寸法よりも大きい携帯端末。
【請求項３】
請求項１または請求項２に記載の携帯端末において、
前記筐体に収容され、前記回路基板に隣り合う電池パックを有し、
前記放熱シートの端部が前記シャーシにおける前記電池パックから遠い側の端部近傍に配置されている携帯端末。
【請求項４】
請求項１から請求項３のうちのいずれか１項に記載の携帯端末において、
前記フレキシブル回路基板および前記第１放熱部は、前記回路基板側配設面に沿って配置され、
前記第１放熱部は、前記フレキシブル回路基板と重ならない領域が前記回路基板側配設面に接着されている携帯端末。
【発明の詳細な説明】
【技術分野】
【０００１】
本発明は、収容されている電子部品が発する熱を安定して拡散させることができる携帯端末に関するものである。
【背景技術】
【０００２】
近年、携帯電話等の携帯端末においては、小型化および高密度化に伴い、発熱量の増加が進んでいる。このため、収容されている電子部品が発する熱を安定して拡散させることができる携帯端末が提案されている（例えば、特許文献１参照）。
図１０に示すように、特許文献１に記載の携帯端末（携帯電話機）１００では、液晶画面等の表示部を有する上部筐体（図示省略）と、電子部品が実装された回路基板を内包する下部筐体１０１が、ヒンジ部（図示省略）によって開閉可能に連結されている。
下部筐体１０１の内部には、テンキー等のキーボタンを有するキーフロントケース１０２、回路基板１０３、バッテリ１０４、バッテリリッド１０５等が、厚さ方向に積層されている。
【０００３】
なお、回路基板１０３の実装面にはＴＶチューナ１０６が実装されており、伝熱シート１０７および放熱用板金１０８を介して、バッテリ１０４の下面に接触している（範囲Ｒ）。
また、回路基板１０３にはカードコネクタ１０９が実装されており、放熱用板金１０８を介してバッテリ１０４の下面に接触している。
このため、ＴＶチューナ１０６が発した熱は、伝熱シート１０７及び放熱用板金１０８を介してバッテリ１０４及びカードコネクタ１０９に伝達して拡散させることができる。
【先行技術文献】
【特許文献】
【０００４】
【特許文献１】特開２００７−３００２２２号公報（第４図）
【発明の概要】
【発明が解決しようとする課題】
【０００５】
ところで、例えばスマートフォン等、矩形箱状の筐体を有する携帯端末においては、シャーシの両面に電子部品が実装される場合があり、放熱シートを各面に別個に設けることが行われていた。
しかしながら、別個に設けると、放熱シートの放熱面積が小さくなるため、一枚の放熱シートを、シャーシに設けられている開口を通して反対側面にも連続して配置することによって放熱性を向上させることが考えられる。
このとき、シャーシの開口を通すため、放熱シートの幅（断面積）が小さくなり、放熱性を高めることができないという問題があった。
【０００６】
本発明は、従来の問題を解決するためになされたもので、シャーシの両面に電子部品が実装される場合に、放熱シートの幅（断面積）を確保して、放熱性を向上できる携帯端末を提供することを目的とする。
【課題を解決するための手段】
【０００７】
本発明の携帯端末は、筐体と、前記筐体に収容される回路基板と、前記筐体の内部において前記回路基板に対して平行に配置され、前記筐体の外側に露呈する表示装置と、前記回路基板と、前記表示装置との間に配置される板状のシャーシと、前記シャーシに設けられた連通孔と、前記シャーシの一端側から前記連通孔に挿通されて前記シャーシの他端側まで配設され、前記回路基板および前記表示装置を接続するフレキシブル回路基板と、前記連通孔に挿通される挿通部と、前記連通孔に対して前記一端側に隣り合うとともに前記シャーシにおける前記回路基板側の回路基板側配設面に沿う第１放熱部と、前記連通孔に対して前記他端側に隣り合うとともに前記シャーシにおける前記表示装置側の表示面側配設面に沿う第２放熱部とを有する放熱シートと、を備え、前記放熱シートにおける前記挿通部、前記第１放熱部および前記第２放熱部の配列方向に対して直交する幅寸法は、前記連通孔における前記挿通部の挿通方向に対して直交し、かつ、前記シャーシの厚み方向に対して直交する幅寸法よりも小さく、かつ、同等な部分を有するものである。
【０００８】
また、本発明の携帯端末では、前記第１放熱部は、前記回路基板側配設面に接着され、その幅寸法が前記連通孔の幅寸法よりも大きいものである。
【０００９】
また、本発明の携帯端末は、前記筐体に収容され、前記回路基板に隣り合う電池パックを有し、前記放熱シートの端部が前記シャーシにおける前記電池パックから遠い側の端部近傍に配置されているものである。
【００１０】
さらに、本発明の携帯端末では、前記フレキシブル回路基板および前記第１放熱部は、前記回路基板側配設面に沿って配置され、前記第１放熱部は、前記フレキシブル回路基板と重ならない領域が前記回路基板側配設面に接着されているものである。
【発明の効果】
【００１１】
本発明では、放熱シートは、シャーシの回路基板側配設面に沿う第１放熱部と、連通孔を通って連続し表示面側配設面に沿う第２放熱部とを有する。そして、放熱シートの幅寸法を、連通孔の幅寸法より小さいが同等の幅寸法を有するようにした。このため、放熱シートは連通孔を挿通可能となるが、断面積の低下を抑えて、伝熱性および放熱性を維持することができるという効果を有する携帯端末を提供できる。
【図面の簡単な説明】
【００１２】
【図１】本発明に係る第１実施形態の携帯端末を表示装置側から見た分解斜視図
【図２】本発明に係る第１実施形態の携帯端末をカバー側から見た分解斜視図
【図３】本発明に係る第１実施形態の携帯端末におけるシャーシ、放熱シートおよびフレキシブル回路基板を示す上方から見た平面図
【図４】本発明に係る第１実施形態の携帯端末を上下に切断した断面図
【図５】本発明に係る第２実施形態の携帯端末におけるシャーシ、放熱シートおよびフレキシブル回路基板を示す上方から見た平面図
【図６】本発明に係る第２実施形態の携帯端末を上下に切断した断面図
【図７】本発明に係る第３実施形態の携帯端末におけるシャーシ、放熱シートおよびフレキシブル回路基板を示す上方から見た平面図
【図８】本発明に係る第３実施形態の携帯端末を上下に切断した断面図
【図９】本発明に係る第４実施形態の携帯端末におけるシャーシ、放熱シートおよびフレキシブル回路基板を示す上方から見た平面図
【図１０】従来の携帯端末を上下に切断した断面図
【発明を実施するための形態】
【００１３】
（第１実施形態）
以下、本発明に係る第１実施形態の携帯端末について、図面を用いて説明する。
図１および図２に示すように、第１実施形態の携帯端末１０Ａとしては、例えばスマートフォンを用いることができる。
なお、以下の説明において、使用者が、操作部を通常操作する状態において上方となる側を上側と云い、使用状態において下方となる側を下側と云うこととする。
【００１４】
携帯端末１０Ａは、箱状の筐体２０を有する。筐体２０は、上面にタッチすることにより入力が可能な表示装置２３が取り付けられるケース２１と、下面を覆うカバー２２とから、薄い箱状に形成されている。
ケース２１は、矩形板状のシャーシ２４の周囲に、樹脂製の側壁２１１が一体的に形成されており、側壁２１１にはサイドキー２１２等が設けられている。カバー２２は、上方が開口した薄い矩形箱状を呈している。
【００１５】
ケース２１とカバー２２との間、すなわち筐体２０の内部には、回路基板２５が一端側（図１において右端側）よりに収容されており、回路基板２５の上側には放熱シート２６が収容されている。回路基板２５の他端側（図１において左端側）には、電池パック２８が回路基板２５に隣接して収容されている。
表示装置２３は、ケース２１の外側に露出して設けられており、回路基板２５に対して平行に取り付けられている。表示装置２３は、フレキシブル回路基板２７によって、回路基板２５と接続される。
【００１６】
図３および図４に示すように、シャーシ２４には、長手方向中央部において、幅方向に連通孔２４１が設けられている。
放熱シート２６は、全体略矩形状を呈しており、中央部の一端側（図１において右端側）よりに、シャーシ２４の連通孔２４１に挿通される挿通部２６１を有する。また、放熱シート２６は、挿通部２６１の一端側に隣接して第１放熱部２６２を有し、挿通部２６１の他端側に隣接して第２放熱部２６３を有する。
なお、第１放熱部２６２は、シャーシ２４における電池パック２８から遠い側の端部近傍である回路基板２５側の端部近傍まで設けられている。
【００１７】
放熱シート２６の長手方向に対して直交する幅寸法は、挿通部２６１および第２放熱部２６３において、連通孔２４１の幅寸法よりも小さいがあまり小さすぎない同等な幅寸法とした。これにより、第２放熱部２６３および挿通部２６１は、連通孔２４１に対して挿通可能となる。
なお、第１放熱部２６２の幅寸法は、連通孔２４１に挿通する必要がないので、連通孔２４１の幅寸法よりも大きくすることができる。
【００１８】
放熱シート２６は、一方の面が粘着テープ状に加工されており、容易に接着できる。すなわち、第１放熱部２６２は、シャーシ２４の回路基板側配設面２４４に接着されるので、回路基板側配設面２４４側すなわち上面が粘着テープ状に加工されている。
また、第２放熱部２６３は、シャーシ２４の表示面側配設面２４５に接着されるので、表示面側配設面２４５側すなわち下面が粘着テープ状に加工されている。
【００１９】
フレキシブル回路基板２７は、全体Ｊ字形状を呈しており、放熱シート２６の上面２６４に配設されている。フレキシブル回路基板２７の一端２７１側は回路基板２５に接続され、フレキシブル回路基板２７の他端２７２側は表示装置２３に接続される。
フレキシブル回路基板２７は、放熱シート２６の上面２６４において、連通孔２４１を通ってシャーシ２４の一端側（図１において右端側）から他端側（図１において左端側）まで配設されている。
【００２０】
すなわち、フレキシブル回路基板２７の一端２７１は、シャーシ２４の一端２４２の下面である回路基板側配設面２４４と、放熱シート２６の第１放熱部２６２の上面との間に配設される。
このため、放熱シート２６の第１放熱部２６２の上面は、粘着テープによりシャーシ２４の回路基板側配設面２４４に接着される．このとき、放熱シート２６と回路基板側配設面２４４との間に位置するフレキシブル回路基板２７は、第１放熱部２６２に接着されるので、この部分は回路基板側配設面２４４に接着されない。すなわち、第１放熱部２６２は、フレキシブル回路基板２７と重ならない領域において回路基板側配設面２４４に接着される。
【００２１】
そして、フレキシブル回路基板２７および放熱シート２６は、シャーシ２４の連通孔２４１を通って、シャーシ２４の表示面側配設面２４５に配設される。
放熱シート２６の粘着テープ状の下面は、表示面側配設面２４５に接着される。フレキシブル回路基板２７は、表示面側配設面２４５の上の放熱シート２６の上面２６４に配設される。
【００２２】
次に、携帯端末１０Ａの作用効果について説明する。
図１および図２に示すように、筐体２０に収容される回路基板２５と、回路基板２５に対して平行に配置され筐体２０の外側に露呈する表示装置２３との間に、板状のシャーシ２４が配置される。
シャーシ２４には、連通孔２４１が設けられており、回路基板２５と表示装置２３を接続するフレキシブル回路基板２７および放熱シート２６が、シャーシ２４の一端側から連通孔２４１に挿通されてシャーシ２４の他端側まで配設される。連通孔２４１には、放熱シート２６の挿通部２６１が挿通される。
【００２３】
放熱シート２６は、第１放熱部２６２および第２放熱部２６３を有する。第１放熱部２６２は、連通孔２４１に対して一端側に隣り合うとともにシャーシ２４における回路基板２５側の回路基板側配設面２４４に沿って配設される。第２放熱部２６３は、連通孔２４１に対して他端側に隣り合うとともにシャーシ２４における表示装置２３側の表示面側配設面２４５に沿って配設される。
【００２４】
このため、放熱シート２６は、シャーシ２４における回路基板２５側の回路基板側配設面２４４および表示装置２３側の表示面側配設面２４５の両側面から伝熱して熱を放出することができる。
そして、放熱シート２６における挿通部２６１、第１放熱部２６２および第２放熱部２６３の配列方向に対して直交すなわち長手方向に直交する幅寸法を、連通孔２４１の幅寸法よりも小さく、かつ、略同等の幅寸法とした。
これにより、放熱シート２６は、フレキシブル回路基板２７とともに連通孔２４１を通過でき、かつ、略同等の断面積を保持できるので、シャーシ２４の両面に電子部品が実装される場合に、放熱シート２６の幅（断面積）を確保して、放熱性を向上できる。
【００２５】
また、携帯端末１０Ａによれば、第１放熱部２６２は、回路基板側配設面２４４に接着され、その幅寸法が連通孔２４１の幅寸法よりも大きいので、回路基板側配設面２４４からの熱をより多く伝熱して放出するので、放熱性が向上する。
【００２６】
また、携帯端末１０Ａによれば、筐体２０に収容されている電池パック２８は、回路基板２５に隣接しており、放熱シート２６の端部がシャーシ２４における電池パック２８から遠い側である回路基板２５の端部近傍まで配置されている。
このため、放熱シート２６は、広い範囲に設けることができ、放熱性を向上させることができる。
【００２７】
さらに、携帯端末１０Ａによれば、放熱シート２６の第１放熱部２６２は、フレキシブル回路基板２７を覆い、フレキシブル回路基板２７と重ならない部分で回路基板側配設面２４４に接着されている。
このため、フレキシブル回路基板２７は、回路基板側配設面２４４に確実に接触して取り付けられ、放熱性を保持することができる。
【００２８】
（第２実施形態）
次に、第２実施形態の携帯端末について説明する。
なお、前述した第１実施形態の携帯端末１０Ａと共通する部位には同じ符号を付して、重複する説明を省略することとする。
図５および図６に示すように、第２実施形態の携帯端末１０Ｂでは、回路基板２５にコネクタ２９が実装されており、フレキシブル回路基板２７の一端２７１は、コネクタ２９に接続される。
【００２９】
なお、フレキシブル回路基板２７は、放熱シート２６の下側に配設されている。
従って、フレキシブル回路基板２７は、放熱シート２６の第２放熱部２６３とシャーシ２４の表示面側配設面２４５との間に配設され、第２放熱部２６３の下面に設けられている粘着テープ部によって表示面側配設面２４５に接着される。
このように構成しても、前述した実施形態と同様に、シャーシ２４の両面に電子部品が実装される場合に、放熱シート２６の幅（断面積）を確保して、放熱性を向上できる。
【００３０】
（第３実施形態）
次に、第３実施形態の携帯端末について説明する。
なお、前述した第１実施形態の携帯端末１０Ａおよび第２実施形態の携帯端末１０Ｂと共通する部位には同じ符号を付して、重複する説明を省略することとする。
図７および図８に示すように、第３実施形態の携帯端末１０Ｃでは、シャーシ２４の連通孔２４１位置において回路基板２５に実装部品３１を設け、フレキシブル回路基板２７を連通孔２４１に挿通することなく、シャーシ２４の上方で接続した。
【００３１】
このように構成しても、前述した実施形態と同様に、シャーシ２４の両面に電子部品が実装される場合に、放熱シート２６の幅（断面積）を確保して、放熱性を向上できる。
【００３２】
（第４実施形態）
次に、第４実施形態の携帯端末について説明する。
なお、前述した第１実施形態の携帯端末１０Ａないし第３実施形態の携帯端末１０Ｃと共通する部位には同じ符号を付して、重複する説明を省略することとする。
図９に示すように、第４実施形態の携帯端末１０Ｄでは、放熱シート２６の幅寸法を長手方向に沿って一定とした。すなわち、第１放熱部２６２の幅を、第２放熱部２６３の幅と同等にした。
【００３３】
このように構成しても、前述した実施形態と同様に、シャーシ２４の両面に電子部品が実装される場合に、放熱シート２６の幅（断面積）を確保して、放熱性を向上できる。
【００３４】
本発明の携帯端末は、前述した各実施形態に限定されるものでなく、適宜な変形、改良等が可能である。
【符号の説明】
【００３５】
１０Ａ、１０Ｂ、１０Ｃ、１０Ｄ  携帯端末
２０  筐体
２３  表示装置
２４  シャーシ
２４１  連通孔
２４２  シャーシの一端
２４３  シャーシの他端
２４４  回路基板側配設面
２４５  表示面側配設面
２５  回路基板
２６  放熱シート
２６１  挿通部
２６２  第１放熱部
２６３  第２放熱部
２７  フレキシブル回路基板
２８  電池パック
【図１】
2015015545.tif 000003
【図２】
2015015545.tif 000004
【図３】
2015015545.tif 000005
【図４】
2015015545.tif 000006
【図５】
2015015545.tif 000007
【図６】
2015015545.tif 000008
【図７】
2015015545.tif 000009
【図８】
2015015545.tif 000010
【図９】
2015015545.tif 000011
【図１０】
2015015545.tif 000012